(57)【要約】【課題】回線品質を高め得る計測装置を提供する。【解決手段】計測対象機器３ｂについてのパラメータを計測して計測データＤ１ｂを取得する計測部１１と、計測データＤ１ｂを入力すると共に計測データＤ１ｂを通信部１４を経由して計測装置１ａに送信する制御部１５とを備えた計測装置１ｂであって、制御部１５は、計測装置１ａによる計測データＤ１ａの受信が正常に完了するまで計測データＤ１ａを再送すると共に、その再送回数をカウントして、再送回数を計測データＤ１ａの計測時刻を示すタイムスタンプＤｔａに対応させてタイムスタンプＤｔａと共に回線情報として記憶する。【選択図】        図１
2004318301.tif 000002
【特許請求の範囲】
【請求項１】
計測対象についてのパラメータを計測して計測データを取得する計測部と、前記計測データを入力すると共に当該計測データを通信部を経由して通信対象機器に送信する制御部とを備えた計測装置であって、
前記制御部は、前記通信対象機器による前記計測データの受信が正常に完了するまで当該計測データを再送すると共に、その再送回数をカウントして、当該再送回数を当該計測データの計測時刻を示す時刻データに対応させて当該時刻データと共に回線情報として記憶する計測装置。
【請求項２】
前記制御部は、前記記憶した再送回数および前記時刻データに基づいて、所定期間毎の前記再送回数の平均値を当該所定期間毎に求めて前記回線情報として記憶する請求項１記載の計測装置。
【請求項３】
前記制御部は、前記通信対象機器からの要求に応じて前記回線情報を当該通信対象機器に送信する請求項１または２記載の計測装置。
【請求項４】
計測対象についてのパラメータを計測して計測データを取得すると共に当該計測データをその計測時刻を示す時刻データと共に送信する１または２以上の子機と通信可能な通信部と、前記子機からの前記計測データおよび前記時刻データの受信が正常に完了するまで当該子機に対して再送要求を行うと共に、当該再送要求の回数をカウントして、その再送要求の回数を当該時刻データに対応させて当該時刻データと共に前記子機毎の回線情報として記憶する制御部とを備えている計測装置。
【請求項５】
前記制御部は、前記記憶した前記再送要求の回数および前記時刻データに基づいて、所定期間毎の前記再送要求の回数の平均値を当該所定期間毎に求めて前記回線情報として記憶する請求項４記載の計測装置。
【請求項６】
請求項１から３のいずれかに記載の計測装置を子機として備えると共に、前記通信対象機器を親機として備えている計測システム。
【請求項７】
請求項４または５記載の計測装置を親機として備えると共に、１または２以上の前記子機を備えている計測システム。
【発明の詳細な説明】
【０００１】
【発明の属する技術分野】
本発明は、計測対象についてのパラメータを計測して計測データを取得する計測装置および計測システムに関するものである。
【０００２】
【従来の技術】
この種の計測システムとして、特開２０００−２８６９９１号公報に開示された計測システムが知られている。この計測システムは、同公報中の図１，３に示すように、公衆回線（５０）に接続された通信対象機器（親機３０）と、検針対象（計測対象）としてのメータ（ガスメータ２０）に接続された計測装置（子機４０）とを備え、親機（３０）と子機（４０）との間で無線信号によってデータを授受してメータ（２０）での計測値を公衆回線（５０）を通して伝送する無線検針システムであって、子機（４０）から親機（３０）へのデータの伝送を失敗したときに再送する再送手段（４１ｃ）と、再送の最大回数を調節する再送回数調節手段（設定操作部４８）とを子機（４０）に設けて構成されている。
【０００３】
この計測システム（無線検針システム）によれば、再送回数調節手段を設けたことにより、親機（３０）での受信電力が小さいときには、子機（４０）側の再送回数を増やして通信成功率を高めることができ、親機（３０）での受信電力が大きいときには、子機（４０）の再送回数を減らして消費電力の増加を抑制することができる。
【０００４】
【特許文献１】
特開２０００−２８６９９１号公報（第５頁、第１−３図）
【０００５】
【発明が解決しようとする課題】
ところが、従来の計測システムには、以下のような解決すべき課題がある。すなわち、この計測システムでは、親機（３０）での受信電力が小さいときには子機（４０）側の再送回数を増やして通信成功率を高めている。しかしながら、再送回数が多くなればなるほど、子機（４０）および親機（３０）の消費電力が増大するという解決すべき課題が存在する。また、親機（３０）での受信電力は、一般的に、子機（４０）の設置場所や通信時間帯によって変化することがあり、子機（４０）側の再送回数を増やしたとしても、子機（４０）から親機（３０）へのデータの伝送（送信）を依然として失敗することがあるという解決すべき課題がある。
【０００６】
このような課題を解決するためには、子機（４０）の設置場所を変えて子機（４０）と親機（３０）との間の回線品質を高める手法や、受信電力が大きくなる通信時間帯に子機（４０）から親機（３０）へのデータの伝送をまとめて行うという手法を採用することが考えられる。しかしながら、これらの対応の要否を正確に判別するための回線情報が存在しないため、実際には、このような対応を実施することは困難である。
【０００７】
本発明は、かかる課題を解決するためになされたものであり、回線品質を高め得る計測装置および計測システムを提供することを主目的とする。
【０００８】
【課題を解決するための手段】
上記目的を達成すべく請求項１記載の計測装置は、計測対象についてのパラメータを計測して計測データを取得する計測部と、前記計測データを入力すると共に当該計測データを通信部を経由して通信対象機器に送信する制御部とを備えた計測装置であって、前記制御部は、前記通信対象機器による前記計測データの受信が正常に完了するまで当該計測データを再送すると共に、その再送回数をカウントして、当該再送回数を当該計測データの計測時刻を示す時刻データに対応させて当該時刻データと共に回線情報として記憶する。
【０００９】
請求項２記載の計測装置は、請求項１記載の計測装置において、前記制御部は、前記記憶した再送回数および前記時刻データに基づいて、所定期間毎の前記再送回数の平均値を当該所定期間毎に求めて前記回線情報として記憶する。
【００１０】
請求項３記載の計測装置は、請求項１または２記載の計測装置において、前記制御部は、前記通信対象機器からの要求に応じて前記回線情報を当該通信対象機器に送信する。
【００１１】
請求項４記載の計測装置は、計測対象についてのパラメータを計測して計測データを取得すると共に当該計測データをその計測時刻を示す時刻データと共に送信する１または２以上の子機と通信可能な通信部と、前記子機からの前記計測データおよび前記時刻データの受信が正常に完了するまで当該子機に対して再送要求を行うと共に、当該再送要求の回数をカウントして、その再送要求の回数を当該時刻データに対応させて当該時刻データと共に前記子機毎の回線情報として記憶する制御部とを備えている計測装置。
【００１２】
請求項５記載の計測装置は、請求項４記載の計測装置において、前記制御部は、前記記憶した前記再送要求の回数および前記時刻データに基づいて、所定期間毎の前記再送要求の回数の平均値を当該所定期間毎に求めて前記回線情報として記憶する。
【００１３】
請求項６記載の計測システムは、請求項１から３のいずれかに記載の計測装置を子機として備えると共に、前記通信対象機器を親機として備えている。
【００１４】
請求項７記載の計測システムは、請求項４または５記載の計測装置を親機として備えると共に、１または２以上の前記子機を備えている。
【００１５】
【発明の実施の形態】
以下、添付図面を参照して、本発明に係る計測装置および計測システムの好適な実施の形態について説明する。
【００１６】
まず、計測装置１および計測システムＭＳの構成について、図面を参照して説明する。
【００１７】
計測システムＭＳは、図１に示すように、１または２以上（一例として４つ）の計測装置１ａ，１ｂ，１ｃ，１ｄ（特に区別しないときには、「計測装置１」ともいう）、および管理装置２を備えている。この場合、計測装置１は、計測対象と同数配設される。一例として、本実施の形態では、計測対象として、４つの計測対象機器３ａ，３ｂ，３ｃ，３ｄ（特に区別しないときには、「計測対象機器３」ともいう）が設けられているため、計測装置１も各計測対象機器３ａ〜３ｄに対応させて４つ設けられている。また、計測装置１ａ〜１ｄの内の計測装置１ａは、管理装置２と伝送路（一例としてＲＳ２３２Ｃケーブル等の有線伝送路）で接続されて親機として機能する。一方、残りの３つの計測装置１ｂ〜１ｄは、親機である計測装置１ａと伝送路（一例として無線伝送路）で接続されて子機として機能する。
【００１８】
次に、各計測装置１および管理装置２の各構成について具体的に説明する。
【００１９】
親機として機能する計測装置１ａは、図１に示すように、計測部１１、通信部１２および制御部１３を備えている。この場合、計測部１１は、計測対象機器３ａについてのパラメータを定期的に計測して計測データＤ１ａを取得すると共に制御部１３に出力する。ここで、計測対象機器３についてのパラメータとしては、計測対象機器３の内部温度や内部湿度、計測対象機器３の任意部位における電流や電圧、計測対象機器３の消費電力、および計測対象機器３の内部信号についての特性（周波数、パルス幅および波高値等）などの少なくとも一つで構成される。
【００２０】
通信部１２は、他の計測装置１ｂ〜１ｄと無線回線を介した無線通信を行うための無線通信機能、および管理装置２と有線回線を介した有線通信を行うための有線通信機能を備えている。
【００２１】
制御部１３は、一例として、ＣＰＵ、タイマおよび内部メモリを含んで構成されている。また、制御部１３は、計測部１１によって計測データＤ１ａが出力される都度、その計測データＤ１ａを入力してタイムスタンプＤｔａと共に内部メモリ（図示せず）内における計測装置１ａ用の記憶領域に記憶する。このタイムスタンプＤｔａは、計測データＤ１ａが計測された時刻を示す時刻データであって、タイマによって計測されている時刻に基づいてＣＰＵによって生成される。
【００２２】
さらに、制御部１３は、通信部１２を介して他の計測装置１ｂ〜１ｄと定期的に無線通信を行うことにより、他の計測装置１ｂ〜１ｄによって送信された各計測対象機器３ｂ〜３ｄに関する計測データＤ１ｂ〜Ｄ１ｄおよび各計測データＤ１ｂ〜Ｄ１ｄについてのタイムスタンプＤｔｂ〜Ｄｔｄを受信して内部メモリ内における各計測装置１ｂ〜１ｄ用の記憶領域に記憶する。この際に、制御部１３は、各計測データＤ１ｂ〜Ｄ１ｄおよび各タイムスタンプＤｔｂ〜Ｄｔｄを正常に受信できないときには、これらのデータの受信が正常に完了するまで、各計測装置１ｂ〜１ｄに対して再送要求を繰り返し送信する。また、制御部１３は、定期的に、または管理装置２からの要求に応じて、各計測装置１ｂ〜１ｄに記憶されている回線情報（各タイムスタンプＤｔｂ〜Ｄｔｄに対応する再送回数Ｎｂ〜Ｎｄ（以下、区別しないときには「再送回数Ｎ」ともいう））を各計測装置１ｂ〜１ｄから受信して内部メモリ内の所定の記憶領域に記憶する。
【００２３】
また、制御部１３は、定期的に、または管理装置２からの要求に応じて、内部メモリに記憶している各計測対象機器３の計測データＤ１ａ〜Ｄ１ｄ（以下、区別しないときには、「計測データＤ１」ともいう）およびタイムスタンプＤｔａ〜Ｄｔｄ（以下、区別しないときには、「タイムスタンプＤｔ」ともいう）と、各計測装置１ｂ〜１ｄについてのタイムスタンプＤｔａ〜Ｄｔｄ毎の再送回数Ｎｂ〜Ｎｄとを通信部１２を経由して管理装置２に送信する。
【００２４】
次に、子機として機能する計測装置１ｂ〜１ｄの構成について説明する。なお、計測装置１ａと同一の構成要素については同一の符号を付して、重複する説明を省略する。また、各計測装置１ｂ〜１ｄは同一の構成要素を備えて構成されている。このため、代表として計測装置１ｂを例に挙げて詳細に説明し、残りの計測装置１ｃ，１ｄについては概要のみを説明する。
【００２５】
計測装置１ｂは、図１に示すように、計測部１１、通信部１４および制御部１５を備えている。この場合、計測部１１は、例えば、計測対象機器３ｂについてのパラメータを定期的に計測して計測データＤ１ｂを取得すると共に取得した計測データＤ１ｂを制御部１５に出力する。通信部１４は、通信対象機器である親機としての計測装置１ａと無線通信を行うための無線通信機能を備えている。
【００２６】
制御部１５は、制御部１３と同様にして、ＣＰＵ、タイマおよび内部メモリを含んで構成されると共に、計測部１１によって計測データＤ１ｂが出力される都度、その計測データＤ１ｂを入力してタイムスタンプＤｔｂと共に内部メモリ（図示せず）に記憶する。また、制御部１５は、定期的に（通常は計測データＤ１ｂを入力する都度）、その記憶した計測データＤ１ｂおよびタイムスタンプＤｔｂを内部メモリから読み出して通信部１４に出力することにより、計測データＤ１ｂおよびタイムスタンプＤｔｂを計測装置１ａに送信する。この場合、制御部１５は、計測装置１ａから再送要求を受信したときには、計測装置１ａによって計測データＤ１ｂおよびタイムスタンプＤｔｂが正常に受信されるまで計測データＤ１ｂおよびタイムスタンプＤｔｂを再送する。この再送に際して、制御部１５は、再送する計測データＤ１ｂ毎に計測装置１ａに対する再送回数（または再送要求の受信回数）をカウントすると共に、計測装置１ａによって計測データＤ１ｂおよびタイムスタンプＤｔｂが正常に受信されるまでに要した再送回数ＮｂをタイムスタンプＤｔｂに対応させて回線情報として内部メモリに記憶する。なお、再送が行われなかったときには、再送回数Ｎｂは値零となる。さらに、制御部１５は、定期的に、または計測装置１ａからの要求に応じて、再送回数Ｎｂおよびこの再送回数Ｎｂに対応するタイムスタンプＤｔｂを内部メモリから読み出して通信部１４に出力することにより、計測装置１ａに回線情報として送信する。
【００２７】
計測装置１ｃおよび計測装置１ｄは、計測装置１ｂと同様にして、それぞれの計測部１１によって測定された各計測対象機器３ｃ，３ｄについての計測データＤ１ｃ，Ｄ１ｄをタイムスタンプＤｔｃ，Ｄｔｄと共に制御部１５内の内部メモリに記憶する。また、計測装置１ｃおよび計測装置１ｄは、計測装置１ｂと同様にして、計測データＤ１ｃ，Ｄ１ｄおよびタイムスタンプＤｔｃ，Ｄｔｄを計測装置１ａに定期的に送信する。さらに、計測装置１ｃおよび計測装置１ｄは、定期的に、または計測装置１ａからの要求に応じて、再送回数Ｎｃ，Ｎｄおよびこの再送回数Ｎｃ，Ｎｄに対応するタイムスタンプＤｔｃ，Ｄｔｄを内部メモリから読み出して通信部１４に出力することにより、計測装置１ａに回線情報として送信する。
【００２８】
一方、管理装置２は、例えば、パーソナルコンピュータで構成されて、計測装置１ａから伝送路を経由して送られてきた各計測対象機器３についての各計測データＤ１ａ〜Ｄ１ｄおよび対応するタイムスタンプＤｔａ〜Ｄｔｄと、各計測装置１ｂ〜１ｄにおける各タイムスタンプＤｔｂ〜Ｄｔｄについての再送回数Ｎｂ〜Ｎｄとを収集して記憶装置（図示せず）に記憶する。また、管理装置２は、管理者の操作に応じて、記憶している各計測データＤ１ａ〜Ｄ１ｄおよびタイムスタンプＤｔａ〜Ｄｔｄをモニタ等の表示装置（図示せず）に表示する。さらに、管理装置２は、管理者の操作に応じて、記憶している各計測装置１ｂ〜１ｄについての各タイムスタンプＤｔｂ〜Ｄｔｄの再送回数Ｎｂ〜Ｎｄを表示装置に表示する。
【００２９】
続いて、計測システムＭＳの動作について、図面を参照して説明する。
【００３０】
この計測システムＭＳでは、各計測装置１は、各計測対象機器３についてのパラメータを定期的に計測して取得した計測データＤ１を内部メモリにタイムスタンプＤｔと共に記憶する。この場合、子機として機能する各計測装置１ｂ〜１ｄは、計測対象機器３ｂ〜３ｄについてのパラメータを定期的に計測して取得した計測データＤ１ｂ〜Ｄ１ｄを記憶する。また、各計測装置１ｂ〜１ｄは、親機としての計測装置１ａに計測データＤ１ｂ〜Ｄ１ｄおよびタイムスタンプＤｔｂ〜Ｄｔｄを定期的に送信する。この際に、各計測装置１ｂ〜１ｄは、計測装置１ａに対する再送回数をカウントすると共に、計測装置１ａによって計測データＤ１およびタイムスタンプＤｔが正常に受信されるまでに要した再送回数ＮをタイムスタンプＤｔに対応させて回線情報として記憶する。
【００３１】
計測装置１ａは、計測対象機器３ａについてのパラメータを定期的に計測して計測データＤ１ａを記憶すると共に、他の計測装置１ｂ〜１ｄから各計測対象機器３ｂ〜３ｄについての計測データＤ１ｂ〜Ｄ１ｄおよびそのタイムスタンプＤｔｂ〜Ｄｔｄをそれぞれ定期的に受信して記憶する。この場合、計測装置１ａは、各計測装置１ｂ〜１ｄによって送信された各タイムスタンプＤｔｂ〜Ｄｔｄに対応する再送回数Ｎｂ〜Ｎｄも定期的に受信して記憶する。また、計測装置１ａは、定期的に、または要求に応じて、内部メモリに記憶している各計測対象機器３の計測データＤ１ａ〜Ｄ１ｄ、タイムスタンプＤｔａ〜Ｄｔｄ、および計測装置１ｂ〜１ｄ毎の再送回数Ｎｂ〜Ｎｄを管理装置２に送信する。
【００３２】
一方、管理装置２は、計測装置１ａによって送信された各計測データＤ１ａ〜Ｄ１ｄ、これらに対応するタイムスタンプＤｔａ〜Ｄｔｄおよび再送回数Ｎｂ，Ｎｃ，Ｎｄを受信（収集）して記憶装置に記憶する。また、管理装置２は、管理者の操作に応じて、記憶している各計測データＤ１ａ〜Ｄ１ｄおよびタイムスタンプＤｔａ〜Ｄｔｄをモニタ等の表示装置（図示せず）に表示する。さらに、管理装置２は、管理者の操作に応じて、記憶している各計測装置１ｂ〜１ｄ毎の各再送回数Ｎｂ〜ＮｄをタイムスタンプＤｔｂ〜Ｄｔｄと共に表示装置に表示する。
【００３３】
このように、この計測装置１および計測システムＭＳによれば、子機としての各計測装置１ｂ〜１ｄが、親機としての計測装置１ａによる計測データＤ１ｂ〜Ｄ１ｄの受信を正常に完了するまで計測データＤ１ｂ〜Ｄ１ｄおよびタイムスタンプＤｔｂ〜Ｄｔｄを再送すると共に、その再送回数をカウントして、計測データＤ１ｂ〜Ｄ１ｄおよびタイムスタンプＤｔｂ〜Ｄｔｄが計測装置１ａによって正常に受信されるまでに要した再送回数Ｎｂ〜ＮｄをタイムスタンプＤｔｂ〜Ｄｔｄに対応させて回線情報として記憶することにより、各計測装置１ｂ〜１ｄ、計測装置１ａおよび管理装置２のいずれにおいても、各計測装置１ｂ〜１ｄについての再送回数Ｎｂ〜Ｎｄを確認することができる。したがって、各計測装置１ｂ〜１ｄ、計測装置１ａおよび管理装置２のいずれにおいても、各計測装置１ｂ〜１ｄによる再送回数Ｎｂ〜Ｎｄに基づいて、各計測装置１ｂ〜１ｄと計測装置１ａとの間の各回線品質（回線状態）を判別することができると共に、各計測装置１ｂ〜１ｄに対する調整の要否や設置場所の変更の要否を判別することができる。この結果、計測装置１ａとの間の回線品質が低い他の計測装置１については、調整や設置場所の変更により、その回線品質を高めることができる。
【００３４】
次に、タイムスタンプＤｔｂ〜Ｄｔｄに基づいて作成した各計測装置１ｂ〜１ｄにおける再送回数Ｎｂ〜Ｎｄについての１日内での推移を示す図２を用いて具体的に説明する。同図は、一例として、各計測装置１ｂ〜１ｄにおける再送回数Ｎｂ〜Ｎｄを１時間毎に２４時間に亘ってプロットしたものであり、同図に示す各時刻毎の再送回数Ｎｂ〜Ｎｄは、各時刻から１時間の範囲内の時刻を示すタイムスタンプＤｔｂ〜Ｄｔｄに対応する計測データＤ１ついての各再送回数Ｎｂ〜Ｎｄを平均した平均値である。このように、所定期間内のタイムスタンプＤｔｂ〜Ｄｔｄに対応する計測データＤ１についての再送回数Ｎｂ〜Ｎｄの平均値を、この所定期間内での再送回数として扱うことにより、ノイズ等による再送回数Ｎｂ〜Ｎｄの変動に対する影響を軽減することができるため、回線品質を一層正確に判別することが可能となる。なお、平均値を求める処理は、例えば、子機としての計測装置１ｂ〜１ｄが行うことができるし、親機としての計測装置１ａが行うことができ、さらには、管理装置２が行うこともできる。
【００３５】
図２によれば、計測装置１ｄについては、時間に関係なく１日を通して再送回数Ｎｄが十分に少ないため、計測装置１ａとの間の回線品質が良好であって、装置内部の構成要素に対する調整や設置場所の変更が不要であると判別することができる。逆に、計測装置１ｂについては、時間に関係なく１日を通して再送回数Ｎｂがかなり多いため、計測装置１ａとの間の回線品質が不良であって、装置内部の構成要素に対する調整や設置場所の変更が必要であると判別することができる。一方、計測装置１ｃについては、時間帯によって再送回数Ｎｃが大きく変化しているため、再送回数Ｎｃが多い時間帯では、例えば他の機器で発生する電波による無線障害などにより、回線品質が一時的に劣化していると判別することができる。したがって、計測装置１ｃに関しては、時間に関係なく１日を通して再送回数Ｎｃを少なくさせるためには、設置場所の変更が必要と判別することができる。また、計測装置１ｃについては、再送回数Ｎｃが多い時間帯（同図中の昼間）には計測データＤ１ｃやタイムスタンプＤｔｃを送信せずに、再送回数Ｎｃの少ない良好な回線品質の時間帯（同図中の夜間）に、それまでに計測した計測データＤ１ｃやタイムスタンプＤｔｃをまとめて送信する送信方法の採用も可能と判別することができる。
【００３６】
なお、本発明は、上記した実施の形態に限定されない。例えば、この実施の形態では、子機としての各計測装置１ｂ〜１ｄが親機としての計測装置１ａに再送回数Ｎｂ〜Ｎｄを送信し、さらに、この計測装置１ａが管理装置２に各計測装置１ｂ〜１ｄにおける再送回数Ｎｂ〜Ｎｄを送信する構成を採用することにより、各計測装置１ｂ〜１ｄの設置場所に出向くことなく、各計測装置１ｂ〜１ｄと計測装置１ａとの間の回線品質を計測装置１ａおよび管理装置２において確認可能に構成したが、計測装置１ａから管理装置２に対する再送回数Ｎｂ〜Ｎｄの送信を省く構成を採用することもできる。この構成においても、親機としての計測装置１ａの設置場所に出向くだけで、各計測装置１ｂ〜１ｄと計測装置１ａとの間の回線品質を確実に確認することができるため、各計測装置１ｂ〜１ｄに対する調整の要否や設置場所の変更の要否を確実に判別することができる。さらに、各計測装置１ｂ〜１ｄから計測装置１ａに対する再送回数Ｎｂ〜Ｎｄの送信を省く構成を採用することもできる。この構成であっても、各計測装置１ｂ〜１ｄの設置場所に出向くことにより、各計測装置１ｂ〜１ｄと計測装置１ａとの間の回線品質を確実に確認することができる。
【００３７】
また、上記の実施の形態では、子機としての各計測装置１ｂ〜１ｄが再送回数Ｎｂ〜Ｎｄをカウントする構成を採用した例について説明したが、これに限らない。例えば、親機としての計測装置１ａが、各計測装置１ｂ〜１ｄからの計測データＤ１およびタイムスタンプＤｔの受信が正常に完了するまで各計測装置１ｂ〜１ｄに対して再送要求を行うと共に、再送要求の回数をカウントして、その再送要求の回数をタイムスタンプＤｔに対応させてタイムスタンプＤｔと共に各計測装置１ｂ〜１ｄ毎の回線情報として記憶する構成を採用することもできる。この構成によれば、子機としての各計測装置１ｂ〜１ｄに対して再送回数Ｎｂ〜Ｎｄを送信させることなく、各計測装置１ｂ〜１ｄと親機としての計測装置１ａとの間の各回線品質を計測装置１ａにおいてすべて確認することできる。したがって、子機としての各計測装置１ｂ〜１ｄに出向くことなく、各計測装置１ｂ〜１ｄに対する調整の要否や設置場所の変更の要否を確実かつ簡単に判別することができる。
【００３８】
さらに、上記の各実施の形態では、図２に示すように、再送回数Ｎや再送要求回数を所定期間毎に平均すると共に、その平均値を所定期間毎の再送回数Ｎや再送要求回数とする例を挙げて説明したが、各計測装置１ａ〜１ｄにおいて、タイムスタンプＤｔｂ〜Ｄｔｄ毎にカウントして得た各計測データＤ１ｂ〜Ｄ１ｄについての再送回数や再送要求回数をそのまま回線情報として使用することもできる。
【００３９】
【発明の効果】
以上のように、請求項１記載の計測装置によれば、制御部が、通信対象機器による計測データの受信が正常に完了するまで計測データを再送すると共に、その再送回数をカウントして、この再送回数をこの計測データの計測時刻を示す時刻データに対応させて回線情報として記憶することにより、通信対象機器との間の回線品質を再送回数に基づいて判別することができる。したがって、再送回数が多いときには、回線品質が不良のため、計測装置に対する調整や設置場所の変更が必要であると判別し、逆に、再送回数が少ないときには、回線品質が良好のため、計測装置に対する調整や設置場所の変更が不要であると判別することができる。この結果、通信対象機器との間の回線品質が低い計測装置については、調整や設置場所の変更により、その回線品質を高めることができる。
【００４０】
また、請求項２記載の計測装置によれば、記憶した再送回数および時刻データに基づいて、制御部が所定期間毎の再送回数の平均値を求めて回線情報として記憶することにより、例えば１時間、１日といった所定期間毎の再送回数の平均値の推移を確認することができるため、ノイズ等による再送回数の変動に対する影響を軽減することができる結果、回線品質を一層正確に判別することができる。
【００４１】
さらに、請求項３記載の計測装置によれば、計測装置が通信対象機器からの要求に応じて回線情報を送信することにより、通信対象機器において、受信した再送回数に基づいて計測装置との間の回線品質の良否を判別することができる。このため、通信対象機器に対して複数の計測装置が存在するときには、管理者は、通信対象機器の設置場所に出向くだけで、各計測装置と通信対象機器との間の回線情報を確認することができる結果、各計測装置に対する調整や設置場所の変更の要否を、手間をかけずに短時間で判別することができる。
【００４２】
また、請求項４記載の計測装置によれば、制御部が、子機からの計測データおよび時刻データの受信が正常に完了するまで子機に対して再送要求を行うと共に再送要求の回数をカウントして、再送要求の回数を時刻データに対応させて子機毎の回線情報として記憶することにより、通信対象機器の設置場所に出向くだけで、各計測装置と通信対象機器との間の回線情報を確認することができる。したがって、各計測装置に対する調整や設置場所の変更の要否を、手間をかけずに短時間で判別することができる。
【００４３】
また、請求項５記載の計測装置によれば、記憶した再送要求の回数および時刻データに基づいて、制御部が所定期間毎の再送要求の回数についての平均値を所定期間毎に求めて回線情報として記憶することにより、例えば１時間、１日といった所定期間毎の再送要求の平均値の推移を確認することができるため、ノイズ等による再送要求の回数の変動に対する影響を軽減することができる結果、回線品質を一層正確に判別することができる。
【００４４】
また、請求項６記載の計測システムによれば、上記請求項１から３のいずれかに記載の計測装置を子機として備えると共に、上記の通信対象機器を親機として備えたことにより、計測装置および通信対象機器のいずれにおいても、計測装置と通信対象機器との間の再送回数を回線情報として確認することができる。したがって、再送回数が多いときには、回線品質が不良のため、計測装置に対する調整や設置場所の変更が必要であると判別し、逆に、再送回数が少ないときには、回線品質が良好のため、計測装置に対する調整や設置場所の変更が不要であると判別することができる。この結果、通信対象機器との間の回線品質が低い計測装置については、調整や設置場所の変更により、その回線品質を高めることができる。
【００４５】
また、請求項７記載の計測システムによれば、請求項４または５記載の計測装置を親機として備えると共に、１または２以上の子機を備えたことにより、計測装置において、すべての子機との間の再送要求の回数を回線情報として確認することができる。したがって、再送回数が多いときには、回線品質が不良のため、子機に対する調整や設置場所の変更が必要であると判別し、逆に、再送回数が少ないときには、回線品質が良好のため、子機に対する調整や設置場所の変更が不要であると判別することができる。この結果、親機との間の回線品質が低い子機については、調整や設置場所の変更により、その回線品質を高めることができる。
【図面の簡単な説明】
【図１】計測システムＭＳおよび各計測装置１ａ〜１ｄの構成を示すブロック図である。
【図２】各計測装置１ｂ〜１ｄと計測装置１ａとの間の時刻毎の再送回数Ｎｂ〜Ｎｄの推移を示す推移図である。
【符号の説明】
１  計測装置
２  管理装置
３ａ〜３ｄ  計測対象機器
１１  計測部
１２，１４  通信部
１３，１５  制御部
Ｄ１ａ〜Ｄ１ｄ  計測データ
Ｄｔａ〜Ｄｔｄ  タイムスタンプ
ＭＳ  計測システム
Ｎｂ〜Ｎｄ  再送回数
【図１】
2004318301.tif 000003
【図２】
2004318301.tif 000004